(57)【要約】【課題】偏波多重方式を用いながら、光伝送中の偏波面の回転の影響を受けることなく適正に情報伝送を行えるようにする。【解決手段】シングルモード光ファイバ３００を用いて光信号送信機１００から光信号受信機２００へ光伝送を行う。光信号送信機１００は、光信号の偏波回転角の基準となる基準偏波角を有する基準信号部と、伝送すべき値情報が離散的な偏波回転角に符号化された情報本体部とからなる光信号を光信号受信機２００へ向けて送信する、光信号受信機２００は、受信した光信号の基準信号部における偏波角と、情報本体部における偏波角とに基づいて、情報本体部に符号化された情報を復号する。【選択図】      図１
2005012558.tif 000002
【特許請求の範囲】
【請求項１】
シングルモード光ファイバを用いて送信部から受信部へ光伝送を行う方法であって、
前記送信部は、光信号の偏波角の基準となる基準偏波角を有する基準信号部と、伝送すべき情報が離散的な偏波角に符号化された情報本体部とを含む光信号を前記受信部に向けて送信し、
前記受信部は、前記送信部から受信した光信号の前記基準信号部における偏波角と、前記受信した光信号の前記情報本体部における偏波角とに基づいて、前記情報本体部に符号化された情報を復号することを特徴とする光伝送方法。
【請求項２】
前記離散的な偏波角は、所定の偏波方向を基準としてＮ・（π／２）／２ｎ（ｎ＝１，２，３・・・；Ｎ＝０，１，・・・，２ｎ）と表される角度であることを特徴とする請求項１記載の光伝送方法。
【請求項３】
請求項１又は２記載の光伝送方法において、前記基準信号部は、光信号の振幅の基準となる基準振幅も有しており、前記情報本体部は、伝送すべき情報が、離散的な偏波角と、離散的な振幅との組み合わせに対応付けて符号化されており、
前記受信部は、前記送信部から受信した光信号の前記基準信号部における偏波角および振幅と、前記受信した光信号の前記情報部における偏波角および振幅とに基づいて、前記情報部に符号化された情報を復号することを特徴とする方法。
【請求項４】
請求項１〜３の何れかに記載の光伝送方法において、先頭部に同期ビットを有するパケットを光伝送し、前記同期ビットを前記基準信号部として用いることを特徴とする方法。
【請求項５】
光信号の送信機および受信機と、これら送受信機の間を接続するシングルモード光ファイバ伝送路とにより構成された光伝送システムであって、
前記送信機は、光信号の偏波角の基準となる基準偏波角を有する基準信号部と、伝送すべき情報が離散的な偏波角に符号化された情報本体部とを有する光信号を前記受信部に向けて送信する送信手段を備え、
前記受信機は、
前記送信機から送信された光信号を受信する手段と、
前記受信した光信号の前記基準信号部における偏波角と、前記受信した光信号の前記情報本体部における偏波角とに基づいて、前記情報部に符号化された離散情報を復号する復調手段と、を備えることを特徴とするシステム。
【請求項６】
請求項５記載の光伝送システムにおいて、
前記基準信号部は、光信号の振幅の基準となる基準振幅も有しており、
前記情報本体部は、伝送すべき情報が、離散的な偏波角と、離散的な振幅との組み合わせに対応付けて符号化されており、
前記復調手段は、前記受信した光信号の前記基準信号部における偏波角および振幅と、前記受信した光信号の前記情報本体部における偏波角および振幅とに基づいて、前記情報部に符号化された情報を復号することを特徴とするシステム。
【請求項７】
請求項６記載の光伝送システムにおいて、前記復調手段は、
前記受信した光信号を互いに直交する２方向の偏波成分に分離して検出する手段と、
前記検出された各偏波成分の信号に基づいて、前記受信した光信号の偏波角を決定する手段と、
受信中の光信号が前記基準信号部であるか前記情報本体部であるかを判定する手段と、
受信中の光信号が前記基準信号部であると判定された場合に、前記決定した偏波角を基準偏波角として記憶する手段と、
受信中の光信号が前記情報本体部であると判定された場合に、前記決定した偏波角と、前記記憶された基準偏波角とに基づいて、前記受信した光信号の送信時における偏波角を決定する手段と、
該決定した送信時における偏波角に基づいて、前記符号化された情報を復号する手段と、を含むことを特徴とする装置。
【請求項８】
光信号の偏波方向の基準となる基準偏波角を有する基準信号部と、伝送すべき離散情報が離散的な偏波回転角に符号化された情報本体部とからなる光信号を受信して、前記符号化された離散情報を復号する光信号受信装置であって、
前記光信号を受信する受信手段と、
前記受信した光信号の前記基準信号部における偏波角と、前記受信した光信号の前記情報本体部における偏波角とに基づいて、前記情報部に符号化された離散情報を復号する復調手段と、を備えることを特徴とする装置。
【請求項９】
請求項８記載の光信号受信装置において、前記復調手段は、
前記受信した光信号を互いに直交する２方向の偏波成分に分離して検出する手段と、
前記検出された各偏波成分の信号に基づいて、前記受信した光信号の偏波角を決定する手段と、
受信中の光信号が前記基準信号部であるか前記情報本体部であるかを判定する手段と、
受信中の光信号が前記基準信号部であると判定された場合に、前記決定した偏波角を基準偏波角として記憶する手段と、
受信中の光信号が前記情報本体部であると判定された場合に、前記決定した偏波角と、前記記憶された基準偏波角とに基づいて、前記受信した光信号の送信時における偏波角を決定する手段と、
該決定した送信時における偏波角に基づいて、前記符号化された情報を復号する手段と、を含むことを特徴とする装置。
【発明の詳細な説明】
【０００１】
【発明の属する技術分野】
本発明は、シングルモード光ファイバを用いた光伝送方法およびシステム、並びに、光信号受信装置に関する。
【０００２】
【従来の技術】
光ファイバを用いた光通信においては、伝送容量を拡大するため、種々の多重化手法が提案されている。例えば、波長分割多重（ＷＤＭ）では、同じ光ファイバに波長の異なる光を用いることで、一本の光ファイバによって複数の伝送路を構成することができる。しかし、ＷＤＭで光伝送を行うには、複数の波長に対応した複数の光源や、それらの光を１本の光ファイバに入射させるための光多重回路、さらに、受信側で光を複数の波長に分離するための分離回路が必要となるため、多重度を上げるほど装置が高価になってしまう。また、無線通信におけるＯＦＤＭ（Ｏｒｔｈｏｇｏｎａｌ  Ｆｒｅｑｕｅｎｃｙ  Ｄｏｍａｉｎ  Ｍｕｌｔｉｐｌｅｘ）の手法を光通信に適用し、周波数の多重化に加えて、偏波の直交２成分を用いて多重化する方法も実用化されている。これに関連して、本願発明者は、特許文献１において、直交する２つの偏波成分を用いた偏波多重化光伝送方式を提案している。
【０００３】
【特許文献１】
特公平６−５８４６９号公報
【０００４】
【発明が解決しようとする課題】
上述のような偏波多重化方式において、２方向の偏波成分だけでだけではなく、種々の方向の偏波を用いて多重度を上げることが考えられる。しかしながら、光ファイバケーブルは、曲げられるなど外部からの力によって歪むと、その内部を伝播する光の偏波面が回転する性質を有している。このように光信号の伝播中に偏波面が回転すると、受信側で元の送信信号の偏波方向を正しく検出することができなくなるため、従来は、偏波多重方式によって多重度を上げることは難しかった。
【０００５】
本発明は、上記の点に鑑みてなされたものであり、偏波多重方式を用いながら、伝送中に生ずる偏波面の回転の影響を受けることなく適正に情報の光伝送を行えるようにすることを目的とする。
【０００６】
【課題を解決するための手段】
上記の目的を達成するため、請求項１に記載された発明は、シングルモード光ファイバを用いて送信部から受信部へ光伝送を行う方法であって、
前記送信部は、光信号の偏波角の基準となる基準偏波角を有する基準信号部と、伝送すべき情報が離散的な偏波角に符号化された情報本体部とを含む光信号を前記受信部に向けて送信し、
前記受信部は、
前記送信部から受信した光信号の前記基準信号部における偏波角と、前記受信した光信号の前記情報本体部における偏波角とに基づいて、前記情報本体部に符号化された情報を復号することを特徴とする。
【０００７】
本発明によれば、基準信号部における基準偏波角を用いることで、伝送中に偏波面が回転しても、その回転角を補正して、元の送信信号の偏波角を正しく決定することができる。したがって、偏波面の回転に係わらず、光信号で伝送された情報を受信側にて正しく復号することができる。なお、本明細書において、「偏波角」とは、直線偏波光における偏波方向の、特定方向（例えば水平ｘ軸方向）に対する傾き角を意味する。
【０００８】
また、請求項２に記載された発明は、請求項１記載の光伝送方法において、前記離散的な偏波角は、所定の偏波方向を基準としてＮ・（π／２）／２ｎ（ｎ＝１，２，３・・・；Ｎ＝０，１，・・・，２ｎ）と表される角度であることを特徴とする。
【０００９】
また、請求項３に記載された発明は、請求項１又は２記載の光伝送方法において、前記基準信号部は、光信号の振幅の基準となる基準振幅も有しており、前記情報本体部は、伝送すべき情報が、離散的な偏波角と、離散的な振幅との組み合わせに対応付けて符号化されており、前記受信部は、前記送信部から受信した光信号の前記基準信号部における偏波角および振幅と、前記受信した光信号の前記情報部における偏波角および振幅とに基づいて、前記情報部に符号化された情報を復号することを特徴とする。
【００１０】
また、請求項４に記載された発明は、請求項１〜３の何れかに記載の光伝送方法において、先頭部に同期ビットを有するパケットを光伝送し、前記同期ビットを前記基準信号部として用いることを特徴とする方法。
【００１１】
また、請求項５に記載された発明は、光信号の送信機および受信機と、これら送受信機の間を接続するシングルモード光ファイバ伝送路とにより構成された光伝送システムであって、
前記送信機は、光信号の偏波角の基準となる基準偏波角を有する基準信号部と、伝送すべき情報が離散的な偏波角に符号化された情報本体部とを有する光信号を前記受信部に向けて送信する送信手段を備え、
前記受信機は、
前記送信機から送信された光信号を受信する手段と、
前記受信した光信号の前記基準信号部における偏波角と、前記受信した光信号の前記情報本体部における偏波角とに基づいて、前記情報部に符号化された離散情報を復号する復調手段と、を備えることを特徴とする。
【００１２】
また、請求項６に記載された発明は、請求項５記載の光伝送システムにおいて、前記基準信号部は、光信号の振幅の基準となる基準振幅も有しており、前記情報本体部は、伝送すべき情報が、離散的な偏波角と、離散的な振幅との組み合わせに対応付けて符号化されており、前記復調手段は、前記受信した光信号の前記基準信号部における偏波角および振幅と、前記受信した光信号の前記情報本体部における偏波角および振幅とに基づいて、前記情報部に符号化された情報を復号することを特徴とする。
【００１３】
また、請求項７に記載された発明は、請求項６記載の光伝送システムにおいて、前記復調手段は、
前記受信した光信号を互いに直交する２方向の偏波成分に分離して検出する手段と、
前記検出された各偏波成分の信号に基づいて、前記受信した光信号の偏波角を決定する手段と、
受信中の光信号が前記基準信号部であるか前記情報本体部であるかを判定する手段と、
受信中の光信号が前記基準信号部であると判定された場合に、前記決定した偏波角を基準偏波角として記憶する手段と、
受信中の光信号が前記情報本体部であると判定された場合に、前記決定した偏波角と、前記記憶された基準偏波角とに基づいて、前記受信した光信号の送信時における偏波角を決定する手段と、
該決定した送信時における偏波角に基づいて、前記符号化された情報を復号する手段と、を含むことを特徴とする。
【００１４】
また、請求項８に記載された発明は、光信号の偏波方向の基準となる基準偏波角を有する基準信号部と、伝送すべき離散情報が離散的な偏波回転角に符号化された情報本体部とからなる光信号を受信して、前記符号化された離散情報を復号する光信号受信装置であって、
前記光信号を受信する受信手段と、
前記受信した光信号の前記基準信号部における偏波角と、前記受信した光信号の前記情報本体部における偏波角とに基づいて、前記情報部に符号化された離散情報を復号する復調手段と、を備えることを特徴とする。
【００１５】
また、請求項９に記載された発明は、請求項８記載の光信号受信装置において、前記復調手段は、
前記受信した光信号を互いに直交する２方向の偏波成分に分離して検出する手段と、
前記検出された各偏波成分の信号に基づいて、前記受信した光信号の偏波角を決定する手段と、
受信中の光信号が前記基準信号部であるか前記情報本体部であるかを判定する手段と、
受信中の光信号が前記基準信号部であると判定された場合に、前記決定した偏波角を基準偏波角として記憶する手段と、
受信中の光信号が前記情報本体部であると判定された場合に、前記決定した偏波角と、前記記憶された基準偏波角とに基づいて、前記受信した光信号の送信時における偏波角を決定する手段と、
該決定した送信時における偏波角に基づいて、前記符号化された情報を復号する手段と、を含むことを特徴とする。
【００１６】
【発明の実施の形態】
以下、本発明の一実施形態について説明する。
図１は、本実施形態の光伝送システム１０の全体構成図である。同図に示すように、光伝送システム１０は、光信号送信機１００と、光信号受信機２００と、両者間を接続するシングルモード光ファイバ３００とにより構成される。本実施形態では、光信号送信機１００から光信号受信機２００へ、光信号の偏波角と振幅の両方で多重化した多値のデジタル（離散）情報を光伝送する。
【００１７】
図２は、本実施形態において、伝送される離散値と、それに対応する偏波角θおよび振幅Ａとの関係を示す。なお、偏波角θは、偏波面の互いに直交する２つの向きをｘ軸，ｙ軸にとり、このｘ軸方向からｙ軸方向への回転角で表すものとする。図２に示すように、各離散値は、偏波角θと振幅Ａとの各組み合わせに対応付けられている。すなわち、振幅Ａ＝α１、偏波角θ＝ｋ・（π／２）／ｎ（ｋ＝０〜ｎ；図２の例ではｎ＝４）に対して、離散値ｋが対応付けられ、振幅Ａ＝α２、偏波角θ＝ｋ・（π／２）／ｎに対して、離散値（ｎ＋１＋ｋ）が対応付けられ、以下同様に、振幅Ａ＝αｍ（ｍ＝１〜Ｍ）、偏波角θ＝ｋ・（π／２）／ｎに対して、離散値（（ｍ−１）（ｎ＋１）＋ｋ）が対応付けられている。ただし、このような対応関係は一例であり、伝送値と偏波角θおよび振幅Ａの各組合せとの対応関係は任意に設定できる。
【００１８】
以上のように、本実施形態では、光信号の偏波角および振幅に情報を符号化して光伝送を行うため、光信号の伝播中に生ずる偏波面の回転や振幅の減衰の影響を受信側にて補償することが必要である。これに対して、本実施形態では、光信号送信機１００から光信号受信機２００へ送信すべき情報は、例えば、イーサネットにおけるパケットであるものとし、そのプリアンブルを本発明の基準信号部として用いることにより、偏波面の回転や振幅の減衰を補償することとしている。すなわち、イーサネットパケットは、その先頭部分に設けられた同期用の８バイト（６４ビット）のプリアンブルと、その後に続くデータ部（情報本体部）を備えているが、このプリアンブルの値は
１０１０１０１０  １０１０１０１０  １０１０１０１０  １０１０１０１０
１０１０１０１０  １０１０１０１０  １０１０１０１０  １０１０１０１１
（１６進表現で「ａａ  ａａ  ａａ  ａａ  ａａ  ａａ  ａａ  ａｂ」）に固定されている。そこで、後に詳細に説明するように、プリアンブルの信号を基準として、光信号の伝播中に生ずる偏波面の回転や振幅の減衰を補正するのである。
【００１９】
再び図１を参照すると、光信号送信機１００は、多値符号化部１１０、光源部１２０、および、偏波制御部１３０を備えている。
【００２０】
多値符号化部１１０は、上記図２に示すような、伝送すべき離散値と偏波角θおよび振幅Ａとの対応関係を保持しており、この対応関係を参照して、２進表現された入力信号から偏波角θおよび振幅Ａを決定する。例えば、図２のように、ｎ＝４、Ｍ＝４とすれば、偏波角θと振幅Ａの組み合わせで０〜１９の１０通りの値を表すことができるから、２進数で表される入力信号の４ビットを一単位として、この４ビットで表される０〜１５の数値に対応する偏波角θおよび振幅Ａを決定するのである。
【００２１】
光源部１２０は、直線偏波の光を出射する例えばレーザーダイオード等の発光素子１２２と、この発光素子１２２の出力を制御する光源制御回路１２４とを備えている。なお、説明の便宜のため、発光素子１２２が出射する光の偏波方向が図２のｘ方向に一致する（つまり、出射光の偏波角θは「０」である）ものとする。光源制御回路１２４は、多値符号化部１１０で決定された振幅Ａに相当するパワーの光が送出されるように発光素子１２２を駆動制御する。
【００２２】
偏波制御部１３０は、発光素子１２２の出射部前方に設けられ、多値符号化部１１０で決定された偏波角θに応じた角度だけ、発光素子１２２から出射された光の偏波面を回転させる。この偏波制御部１３０としては、例えば、株式会社雄島試作研究所製の偏波制御回路ＹＭ−ＰＲ−０７等を用いることができる。
【００２３】
以上のように光源部１２０の発光素子１２２から出射され、偏波制御部１３０で偏波面が回転させられた光は、シングルモード光ファイバ３００へ入射され、光信号受信機２００へ向けて伝播する。
光信号受信機２００は、偏波プリズム２１０、第１受光素子２２０、第２受光素子２３０、および、復調部２４０を備えている。
【００２４】
偏波プリズム２１０は、光信号送信機１００から送信され、シングルモード光ファイバ３００を伝播してきた光信号を、ｘ方向およびｙ方向の２つの偏波成分に分離して、夫々、第１受光素子２２０および第２受光素子２３０に入射させる。すなわち、偏波プリズム２１０は、ｘ方向の偏波成分を反射して第１受光素子２２０に入射させ、ｙ方向の偏波成分を透過させて第２受光素子２２２に入射させる。第１受光素子２２０および第２受光素子２３０は、それら各偏波成分の光のパワーに応じたアナログ信号を復調部２４０へ出力する。
【００２５】
図３は、復調部２４０のブロック構成図である。同図に示すように、復調部２４０は、Ａ／Ｄ変換部２４２、偏波角振幅決定部２４４、基準値メモリ２４６、補正部２４８、復号部２５０、および、基準信号判定部２５２を備えている。Ａ／Ｄ変換部２４２は、第１受光素子２２０および第２受光素子２３０から出力されたアナログ信号（つまり、ｘ，ｙ各方向の偏波成分を示す信号）をデジタル化して、偏波角振幅決定部２４４へ出力する。
【００２６】
偏波角振幅決定部２４４は、Ａ／Ｄ変換部２４２から出力された各偏波成分のデジタル信号に基づいて、受信した光信号の偏波角θおよび振幅Ａを決定する。すなわち、ｘ方向の偏波成分のパワーがＰｘ、ｙ方向の偏波成分のパワーがＰｙであるとすると、
θ＝ｔａｎ−１（Ｐｘ１／２／Ｐｙ１／２）
Ａ＝Ｐｘ１／２／ｓｉｎθ
により、θ，Ａを決定する。なお、Ｐｘ，Ｐｙを１／２乗しているのは、パワー値として表されたＰｘ，Ｐｙを振幅値に変換するためである。
【００２７】
基準信号判定部２５２は、現在受信中の信号がプリアンブルであるか否かを判定し、その判定結果を、偏波角振幅決定部２４４および補正部２４８へ通知する。上述のように、プリアンブル部はパケットの先頭の所定ビットの範囲に設けられるから、プリアンブルであるか否かは、データが受信され始めてからの受信ビット数が上記所定ビット数以下であるかどうかに基づいて判定することができる。
【００２８】
偏波角振幅決定部２４４は、受信中の信号がプリアンブルであれば、上記のように決定した偏波角θおよび振幅Ａを、夫々基準偏波角θｓおよび基準振幅Ａｓとして基準値メモリ２４６に格納する。
【００２９】
なお、上述のようにプリアンブルの値は所定の「０」「１」の６４ビット長のビット列に固定されており、本実施形態では、このプリアンブルの各ビットの「０」または「１」の値を偏波角および振幅に変調して送信する。したがって、値「０」に対応する信号と、値「１」に対応する信号が夫々複数回送信されてくることになり、基準偏波角θｓおよび基準振幅Ａｓも値「０」および「１」に対して夫々複数回計算されることになる。本実施形態では、例えば、値「０」および「１」に夫々対応する複数の値の平均値をとって、値「０」に対する基準偏波角θｓおよび基準振幅Ａｓと、値「１」に対する基準偏波角θｓおよび基準振幅Ａｓとを基準値メモリ２４６に格納するものとする。
【００３０】
一方、受信中の信号がプリアンブルでなければ、偏波角振幅決定部２４４は、上記のように決定した偏波角θおよび振幅Ａを、夫々、受信波偏波角θｒおよび受信波振幅Ａｒとして補正部２４８へ出力する。補正部２４８は、偏波角振幅決定部２４４から出力された受信波偏波角θｒおよび受信波振幅Ａｒと、基準値メモリ２４６に格納された基準偏波角θｓおよび基準振幅Ａｓとに基づいて、光信号送信部１００から送信された元の信号の偏波角（以下、送信波偏波角という）δｔおよび振幅（以下、送信波振幅という）Ａｔを決定する。以下、この処理について説明する。
【００３１】
送信信号のうちプリアンブルに対応して送信される光信号の偏波角θをθ０、振幅ＡをＡ０とする。上述のように、本実施形態では、このプリアンブルの各ビットの「０」または「１」の値を偏波角および振幅に変調して送信する。図２に示す例では、値「０」に対応する偏波角θ０は０、振幅Ａ０はα１となり、値「１」に対応する偏波角θ０はπ／８、振幅Ａ０はα１となる。信号伝播中に生ずる偏波面の回転と振幅の減衰により、光信号受信機２００は、プリアンブルに対応する偏波角θ０、振幅Ａ０の送信信号を基準偏波角θｓ、基準振幅Ａｓの信号として受信することになる。したがって、伝播中の偏波角の回転角δ、および、振幅の減衰率ηは、
δ＝θｓ−θ０
η＝Ａｓ／Ａ０
となる。なお、回転角δおよび減衰率ηはプリアンブルの「０」および「１」に対して夫々計算されるが、例えば、夫々の平均値を最終的な回転角δおよび減衰率ηとすればよい。また、上述のように、図２に示す伝送値と偏波角θおよび振幅Ａの組合せとの関係は一例であり、例えば、値「０」に対して振幅Ａ０＝０、値「１」に対して偏波角θ０＝０、振幅Ａ０＝α１を対応させてもよい。この場合、減衰率ηは、値「１」に対応する信号のみを用いて計算すればよい。
【００３２】
送信波偏波角θｔおよび送信波振幅Ａｔは、受信波偏波角θｒおよび受信波振幅Ａｒから、次式により決定できる。
θｔ＝θｒ−δ＝θｒ−θｓ＋θ０  ・・・（１）
Ａｔ＝Ａｒ／η＝Ａｒ・Ａ０／Ａｓ  ・・・（２）
補正部２４８は、これらの（１），（２）式に基づいて、送信波偏波角θｔおよび送信波振幅Ａｔを決定する。
【００３３】
補正部２４８により決定された送信波偏波角θｔおよび送信波振幅Ａｔは、復号部２５０に出力される。光伝送される離散値と、偏波角θおよび振幅Ａとの間には、図２に例示するような対応関係が設定されているから、復号部２５０は、送信波偏波角θｔおよび送信波振幅Ａｔから、同じ対応関係を用いて離散値を復号することができる。
【００３４】
なお、上述した偏波角振幅決定部２４４、補正部２４８、復号部２５０、および基準信号判定部２５２は、夫々、ハードウェア回路で構成されてもよいし、あるいは、ＣＰＵがプログラムを実行することによりソフトウェア的に構成されてもよい。
【００３５】
以上説明したように、本実施形態では、伝送データの値が予め分かっているプリアンブルの信号を基準信号部として用いることで、光信号の伝送中に生じた偏波面の回転や振幅の減衰を補償できる。このため、本実施形態のシステムによれば、光信号の伝送中の偏波面の回転や振幅の減衰の影響を受けることなく、偏波多重方式による多値デジタル伝送を行うことができ、これにより、光ファイバ伝送経路の伝送容量を増大させることができる。
【００３６】
また、プリアンブルと情報本体部とは同じパケット内にあって連続して短時間のうちに送信されるので、プリアンブルの受信中と、情報本体部の受信中との間で、光ファイバ３００の状態はほとんど変化せず、したがって、偏波面の回転角や信号減衰の度合いもほとんど変化しない。このため、プリアンブルの受信信号から求めた基準偏波角θｓ及び基準振幅Ａｓを用いることで、情報本体部の偏波角や振幅を正確に補正することができる。
【００３７】
なお、上記実施形態では、光信号の偏波角と振幅の両方を用いて多重化を行うものとしたが、これに限らず、偏波角のみで多重化することとしてもよい。その場合には、振幅の減衰に関する補正を行うことは不要であり、基準偏波角θｓのみを求めて偏波角を補正すればよい。
【００３８】
また、図１では、光信号送信機１００から光信号受信機２００への一方向の光伝送を行うものとしたが、双方向の光伝送を行う場合は、図４に示すように、光信号送信機１００と光信号受信機２００とを組み合わせた光信号送受信機４００を設ければよい。この場合、各送受信機４００に送信信号と受信信号とを分離するためのハーフミラーや光ファイバ結合器を設けることなどにより、一本の光ファイバ３００を両方向の光伝送に共用するようにしてもよい。
【００３９】
また、上記実施形態では、イーサネットパケットを伝送する場合を例として、そのプリアンブルを基準信号部として用いるものとしたが、これに限らず、例えば、ＡＴＭやフレームリレー等の他の方式で伝送を行う場合も、伝送単位である各フレームの先頭には同期を取るための固定値のデータ部分が存在するから、そのような部分を基準信号部として用いることができる。
【００４０】
【発明の効果】
本発明によれば、偏波多重方式を用いながら、光の伝送中に生ずる偏波面の回転の影響を受けることなく適正に情報を伝送することができる。
【図面の簡単な説明】
【図１】本発明の一実施形態である光伝送システムの全体構成図である。
【図２】本実施形態において、伝送される離散値と、それに対応する偏波角θおよび振幅Ａとの関係を示す図である。
【図３】復調部のブロック構成図である。
【図４】送信機と受信機とを一体化した送受信機を用いた場合の全体構成図である。
【符号の説明】
１０  光伝送システム
１００  光信号送信機
１１０  多値符号化部
１２０  光源部
１２２  発光素子
１２４  光源制御回路
１３０  偏波制御部
２００  光信号受信機
２１０  偏波プリズム
２２０  第１受光素子
２３０  第２受光素子
２４０  復調部
２４２  Ａ／Ｄ変換部
２４４  偏波角振幅決定部
２４６  基準値メモリ
２４８  補正部
２５０  復号部
２５２  基準信号判定部
３００  シングルモード光ファイバ
４００  光信号送受信機
【図１】
2005012558.tif 000003
【図２】
2005012558.tif 000004
【図３】
2005012558.tif 000005
【図４】
2005012558.tif 000006